(57)【要約】【課題】本発明は、点灯装置および照明器具に関し、信頼性を向上できる点灯装置および照明器具を得ることを目的とする。【解決手段】本発明に係る点灯装置は、外部電源から電力を供給され、スイッチング素子のオンオフにより光源を点灯させる第１スイッチング電源部と、制御電源部と、該制御電源部から得られる電圧を交流電圧に変換する第２スイッチング電源部と、該交流電圧から交流磁界を発生させる送電コイルと、該制御電源部から電力供給を受けて動作し、該第１スイッチング電源部と該第２スイッチング電源部を制御する制御部と、を備える。【選択図】図１
2019087340.tif 000002
【特許請求の範囲】
【請求項１】
外部電源から電力を供給され、スイッチング素子のオンオフにより光源を点灯させる第１スイッチング電源部と、
制御電源部と、
前記制御電源部から得られる電圧を交流電圧に変換する第２スイッチング電源部と、
前記交流電圧から交流磁界を発生させる送電コイルと、
前記制御電源部から電力供給を受けて動作し、前記第１スイッチング電源部と前記第２スイッチング電源部を制御する制御部と、
を備えることを特徴とする点灯装置。
【請求項２】
前記制御電源部は、前記第１スイッチング電源部で生成された電力で動作することを特徴とする請求項１に記載の点灯装置。
【請求項３】
前記制御部は、前記外部電源から前記第１スイッチング電源部に供給される電圧が閾値よりも低下すると、前記第２スイッチング電源部を停止させことを特徴とする請求項１または２に記載の点灯装置。
【請求項４】
前記制御部は、
前記制御電源部から電力を供給され、前記第１スイッチング電源部を制御する第１制御部と、
前記制御電源部から電力を供給され、前記第２スイッチング電源部を制御する第２制御部と、
を備えることを特徴とする請求項１から３の何れか１項に記載の点灯装置。
【請求項５】
前記制御部は、前記外部電源から前記第１スイッチング電源部への電力の供給が開始されてから一定時間の経過後に、前記第２スイッチング電源部を動作させることを特徴とする請求項１から４の何れか１項に記載の点灯装置。
【請求項６】
請求項１から５の何れか１項に記載の点灯装置と、
前記光源と、
前記交流磁界に応じて電圧を発生させる受電コイルを備え、前記受電コイルに発生する電圧により動作する制御ユニットと、
を備えることを特徴とする照明器具。
【請求項７】
点灯装置と、光源と、前記点灯装置と通信する制御ユニットと、を備え、
前記点灯装置は、
外部電源から電力を供給され、スイッチング素子のオンオフにより前記光源を点灯させる第１スイッチング電源部と、
前記第１スイッチング電源部に発生する電圧を交流電圧に変換する第２スイッチング電源部と、
前記交流電圧から交流磁界を発生させる送電コイルと、
前記第１スイッチング電源部と前記第２スイッチング電源部を制御する制御部と、
を備え、
前記制御ユニットは、前記交流磁界に応じて電圧を発生させる受電コイルを備え、前記受電コイルに発生する電圧により動作することを特徴とする照明器具。
【請求項８】
前記制御ユニットは、前記受電コイルから前記送電コイルに通信信号を送信し、
前記制御部は、前記通信信号を受信する通信端子を有することを特徴とする請求項７に記載の照明器具。
【請求項９】
前記制御ユニットは、前記受電コイルに電圧が発生すると、給電開始を通知する通信信号を前記制御部に送信することを特徴とする請求項７または８に記載の照明器具。
【請求項１０】
前記制御部が前記給電開始を通知する通信信号を受信しない場合、前記第２スイッチング電源部は定常状態よりも低い電力供給状態で動作することを特徴とする請求項９に記載の照明器具。
【請求項１１】
前記制御ユニットは、前記制御ユニットに関する情報が記憶された記憶部を有し、前記情報を前記制御部に送信し、
前記制御部は前記情報に応じて、前記第２スイッチング電源部を制御することを特徴とする請求項７から１０の何れか１項に記載の照明器具。
【請求項１２】
前記制御ユニットは、少なくとも前記受電コイルに電圧が発生すると、前記情報を前記制御部に送信することを特徴とする請求項１１に記載の照明器具。
【請求項１３】
前記送電コイルと前記受電コイルとは、非導電体を介して隣接して設けられることを特徴とする請求項６から１２の何れか１項に記載の照明器具。
【請求項１４】
前記光源と、前記点灯装置と、を有する光源ユニットを有し、
前記制御ユニットは、前記光源ユニットの側面に取り付けられることを特徴とする請求項６から１３の何れか１項に記載の照明器具。
【発明の詳細な説明】
【技術分野】
【０００１】
本発明は、点灯装置および照明器具に関する。
【背景技術】
【０００２】
特許文献１には、携帯電話等の負荷機器を非接触充電する機能を備えた照明器具が開示されている。この照明器具は、共通電源回路と駆動回路と高周波インバータ回路とを内蔵している。駆動回路は、共通電源回路から供給される電力を用いて光源を点灯させる。また、高周波インバータ回路は、共通電源回路から供給される電力を高周波電力に変換して一次側コイルに供給する。これにより、一次側コイルに交流磁界が発生する。
【０００３】
負荷機器は、二次側コイルとバッテリーを収納している。二次側コイルは、一次側コイルに近接配置されると、電磁誘導によって電圧を発生させる。これによりバッテリーが充電される。この照明器具によれば、机上面に充電器を置く必要がなく机上面における作業領域を確保することができる。
【先行技術文献】
【特許文献】
【０００４】
【特許文献１】特開２０１３−１４５６５４号公報
【発明の概要】
【発明が解決しようとする課題】
【０００５】
特許文献１では、同一の共通電源回路からの電力供給により、光源の点灯と非接触給電を行うことが検討されている。ここで、外部電源の電圧低下などの異常時には、照明器具で生成される様々な電圧が変動し、非接触充電機能にも異常が発生する可能性がある。よって、このような異常に対して照明器具の信頼性を確保することが必要とされる場合がある。また、負荷機器が受電できる状態では無い場合に非接触充電用の回路を動作させると、消費電力が大きくなる可能性がある。
【０００６】
さらに、点灯装置の起動時には、一般に大きな起動電力が必要となる。このため、共通電源回路および駆動回路の起動と同時に高周波インバータ回路を起動させる場合、起動の電力を確保するために制御電源の容量が大きくなる可能性がある。このため、照明器具の部品が大型化する可能性がある。
【０００７】
本発明は、上述の課題を解決するためになされたもので、信頼性を向上できる点灯装置および照明器具を得ることを目的とする。
【課題を解決するための手段】
【０００８】
本発明に係る点灯装置は、外部電源から電力を供給され、スイッチング素子のオンオフにより光源を点灯させる第１スイッチング電源部と、制御電源部と、該制御電源部から得られる電圧を交流電圧に変換する第２スイッチング電源部と、該交流電圧から交流磁界を発生させる送電コイルと、該制御電源部から電力供給を受けて動作し、該第１スイッチング電源部と該第２スイッチング電源部を制御する制御部と、を備える。
【０００９】
本発明に係る照明器具は、点灯装置と、光源と、該点灯装置と通信する制御ユニットと、を備え、該点灯装置は、外部電源から電力を供給され、スイッチング素子のオンオフにより該光源を点灯させる第１スイッチング電源部と、該第１スイッチング電源部に発生する電圧を交流電圧に変換する第２スイッチング電源部と、該交流電圧から交流磁界を発生させる送電コイルと、該第１スイッチング電源部と該第２スイッチング電源部を制御する制御部と、を備え、該制御ユニットは、該交流磁界に応じて電圧を発生させる受電コイルを備え、該受電コイルに発生する電圧により動作する。
【発明の効果】
【００１０】
本発明に係る点灯装置では、第２スイッチング電源部と制御部はともに制御電源部から電力供給を受けて動作する。このため、制御電源部の異常を検出することで、第２スイッチング電源部に供給される電圧の異常を検出できる。よって、電圧の管理がし易くなり、異常を精度よく検出できる。従って、点灯装置の信頼性を向上できる。
本発明に係る照明器具では、非接触給電により点灯装置から制御ユニットに給電される。制御ユニットは点灯装置と通信する機能を有する。このため、制御部は通信により制御ユニットの状態を確認できる。従って、非接触給電を安定して実施でき、信頼性を向上できる。
【図面の簡単な説明】
【００１１】
【図１】実施の形態１に係る照明器具の回路ブロック図である。
【図２】実施の形態１に係る照明器具の斜視図である。
【図３】実施の形態１に係る照明器具の動作を示すフローチャートである。
【図４】実施の形態１に係る照明器具の電圧波形を示す図である。
【図５】実施の形態１の変形例を説明するフローチャートである。
【図６】実施の形態２に係る照明器具の回路ブロック図である。
【図７】実施の形態２に係る制御ユニットの回路ブロック図である。
【図８】実施の形態２に係る制御ユニットへの給電開始時の第２制御部の動作を示すフローチャートである。
【図９】実施の形態３に係る制御ユニットの回路ブロック図である。
【図１０】実施の形態３に係る制御ユニットへの給電開始時の第２制御部の動作を示すフローチャートである。
【図１１】制御ユニットへの給電開始時の制御部の動作の変形例を示すフローチャートである。
【図１２】実施の形態４に係る照明器具の斜視図である。
【図１３】実施の形態４に係る照明器具で器具本体から光源ユニットおよび制御ユニットを取り外した状態を示す斜視図である。
【図１４】実施の形態４に係る照明器具で光源ユニットから制御ユニットを取り外した状態を示す斜視図である。
【発明を実施するための形態】
【００１２】
本発明の実施の形態に係る点灯装置および照明器具について図面を参照して説明する。同じ又は対応する構成要素には同じ符号を付し、説明の繰り返しを省略する場合がある。
【００１３】
実施の形態１．
図１は、実施の形態１に係る照明器具１の回路ブロック図である。照明器具１は、点灯装置５０とＬＥＤ光源部８０とを備える。点灯装置５０は外部電源ＡＣから電力を供給され、ＬＥＤ光源部８０を点灯させる。外部電源ＡＣは商用電源である。外部電源ＡＣは、交流電圧を点灯装置５０に供給する。
【００１４】
ＬＥＤ光源部８０は、複数の光源８１を備える。複数の光源８１はＬＥＤである。複数の光源８１は直列に接続される。ＬＥＤ光源部８０は光源８１を１つ以上備えれば良い。また、複数の光源８１は並列または直並列に接続されても良い。
【００１５】
点灯装置５０は端子部ＣＮ１、ＣＮ２を備える。端子部ＣＮ１は、点灯装置５０の入力端子であり、外部電源ＡＣに接続される。端子部ＣＮ２は点灯装置５０の出力端子であり、ＬＥＤ光源部８０に接続される。
【００１６】
点灯装置５０は、整流器ＤＢを備える。整流器ＤＢは外部電源ＡＣから点灯装置５０に入力される交流電圧を整流する。整流器ＤＢの出力端には、昇圧チョッパ回路が接続される。昇圧チョッパ回路は、コイルＬ１、スイッチング素子Ｑ１、ダイオードＤ１で構成される。
【００１７】
スイッチング素子Ｑ１は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。コイルＬ１の一端は、整流器ＤＢの高電位側の出力に接続される。コイルＬ１の他端はスイッチング素子Ｑ１のドレインとダイオードＤ１のアノードが接続される。スイッチング素子Ｑ１のソースは整流器ＤＢの低電位側の出力に接続される。スイッチング素子Ｑ１のゲートはＭＯＳＦＥＴドライバー４１に接続される。ダイオードＤ１のカソードはコンデンサＣ１の正極に接続される。コンデンサＣ１の負極は整流器ＤＢの低電位側の出力に接続される。
【００１８】
昇圧チョッパ回路は、交流電圧が整流器ＤＢで整流されることで得られる脈流電圧を直流高電圧に変換する。昇圧チョッパ回路の出力電圧である直流高電圧は、コンデンサＣ１の両端に印加される。昇圧チョッパ回路は、コンデンサＣ１を充電し、一定の直流高電圧を生成する。
【００１９】
コンデンサＣ１と並列に、抵抗Ｒ２、Ｒ３の直列回路が接続される。コンデンサＣ１に充電されている電圧は、抵抗Ｒ２、Ｒ３により分圧され、第１制御部ＩＣ１の端子Ｐ１に入力される。第１制御部ＩＣ１は、コンデンサＣ１の両端に印加される電圧が一定の直流電圧に一致するように、端子Ｖｇ１からスイッチング素子Ｑ１をオンオフするスイッチング信号を出力する。すなわち端子Ｐ１の電圧が一定電圧になるように、第１制御部ＩＣ１はスイッチング素子Ｑ１をオンオフする。
【００２０】
第１制御部ＩＣ１は例えばマイコンである。一般に、マイコンの動作電圧はＭＯＳＦＥＴの駆動電圧よりも低い。このため、端子Ｖｇ１から一旦ＭＯＳＦＥＴドライバー４１にスイッチング信号が入力される。第１制御部ＩＣ１は、ＭＯＳＦＥＴドライバー４１を介して、スイッチング素子Ｑ１をスイッチングしている。これにより、安定なスイッチングが実現できる。
【００２１】
一定の直流電圧が充電されたコンデンサＣ１には、バックコンバータ回路が接続される。バックコンバータ回路は、スイッチング素子Ｑ２、コイルＬ２、ダイオードＤ２から構成される点灯回路である。スイッチング素子Ｑ２は例えばＭＯＳＦＥＴである。コンデンサＣ１の正極には、スイッチング素子Ｑ２のドレインが接続される。スイッチング素子Ｑ２のソースには、コイルＬ２の一端とダイオードＤ２のカソードが接続される。スイッチング素子Ｑ２のゲートはＭＯＳＦＥＴドライバー４１に接続される。
【００２２】
コイルＬ２の他端は、コンデンサＣ３の正極に接続される。ダイオードＤ２のアノードは、コンデンサＣ１の負極に接続される。コンデンサＣ３の負極は抵抗Ｒ４を介してコンデンサＣ１の負極に接続される。コンデンサＣ３には端子部ＣＮ２が接続される。コンデンサＣ３は端子部ＣＮ２を介してＬＥＤ光源部８０に接続される。
【００２３】
バックコンバータ回路は、コンデンサＣ１に印加される直流電圧を降圧し、ＬＥＤ光源部８０に供給する。バックコンバータ回路が出力する高周波電圧は、コンデンサＣ３で平滑され、光源８１を点灯させる。光源８１が点灯することで流れた電流は、抵抗Ｒ４で電圧に変換される。この電圧は、第１制御部ＩＣ１の端子Ｐ２に入力される。第１制御部ＩＣ１は、端子Ｐ２の電圧が一定になるように端子Ｖｇ２からスイッチング素子Ｑ２をオンオフするスイッチング信号を出力する。従って、光源８１を流れる電流が一定に維持される。光源８１は定電流制御により点灯する。
【００２４】
端子Ｖｇ２からのスイッチング信号は、昇圧チョッパ回路と同様に、ＭＯＳＦＥＴドライバー４１に入力される。第１制御部ＩＣ１は、ＭＯＳＦＥＴドライバー４１を介して、スイッチング素子Ｑ２をスイッチングしている。これにより、安定なスイッチングが実現できる。
【００２５】
本実施の形態では、昇圧チョッパ回路と、バックコンバータ回路とが第１スイッチング電源部５１を構成する。第１スイッチング電源部５１は、外部電源ＡＣから電力を供給され、スイッチング素子Ｑ１、Ｑ２のオンオフにより光源８１を点灯させる。また、第１制御部ＩＣ１は、制御電源Ｖ１から電力を供給され、第１スイッチング電源部５１を制御する。
【００２６】
制御電源回路部４２は、コンデンサＣ１に蓄えられた電荷から制御電源Ｖ１を電圧生成する。制御電源回路部４２は制御電源部に該当する。制御電源回路部４２は第１スイッチング電源部５１で生成された電力で動作する。制御電源回路部４２は、昇圧チョッパ回路の出力電圧である直流電圧から制御電源Ｖ１の電圧を生成する。制御電源Ｖ１の電圧は、コンデンサＣ２にて平滑される。制御電源Ｖ１の電圧は、例えば１５Ｖである。制御電源回路部４２は、バックコンバータ回路などの降圧コンバータ回路でも良く、フライバック回路などの昇降圧コンバータでも良い。
【００２７】
ＭＯＳＦＥＴドライバー４１は制御電源Ｖ１から電力を供給され動作している。つまり、制御電源Ｖ１は第１スイッチング電源部５１を駆動させる電源である。さらに、制御電源Ｖ１の電圧は降圧回路部４３によって降圧される。制御電源Ｖ１の電圧は降圧回路部４３を介して、第１制御部ＩＣ１の端子ＶＤＤに入力される。従って、第１制御部ＩＣ１は制御電源Ｖ１から電力を供給され動作している。端子ＶＤＤの電圧は例えば５Ｖである。
【００２８】
点灯装置５０は、さらに第２制御部ＩＣ１０を備える。制御電源Ｖ１の電圧は、第２制御部ＩＣ１０の端子Ｖｃｃに入力される。第２制御部ＩＣ１０は、制御電源Ｖ１から電力を供給され、動作する。
【００２９】
点灯装置５０はさらに第２スイッチング電源部５２を備える。第２スイッチング電源部５２は、スイッチング素子Ｑ１０とスイッチング素子Ｑ１１とを備える。スイッチング素子Ｑ１０、Ｑ１１は、例えばＭＯＳＦＥＴである。スイッチング素子Ｑ１０のドレインは、制御電源Ｖ１に接続される。スイッチング素子Ｑ１０のソースはスイッチング素子Ｑ１１のドレインに接続される。スイッチング素子Ｑ１１のソースは接地用端子ＧＮＤに接続される。スイッチング素子Ｑ１０、Ｑ１１のゲートは、それぞれ第２制御部ＩＣ１０の端子Ｖｇ１０、端子Ｖｇ１１と接続される。スイッチング素子Ｑ１０、Ｑ１１は、ハーフブリッジ回路を構成している。
【００３０】
スイッチング素子Ｑ１０のソースとスイッチング素子Ｑ１１のドレインとの接続点には、送電コイルＴ１０の一端が接続される。送電コイルＴ１０の他端はコンデンサＣ１０の一端に接続される。コンデンサＣ１０の他端は接地用端子ＧＮＤに接続される。なお、コンデンサＣ１０はカップリングコンデンサとして動作する。
【００３１】
第２制御部ＩＣ１０は、端子Ｖｇ１０および端子Ｖｇ１１からスイッチング素子Ｑ１０、Ｑ１１を交互にオンする駆動信号を出力する。これにより、第２スイッチング電源部５２は、制御電源部から得られる電圧である制御電源Ｖ１の電圧を交流電圧に変換する。送電コイルＴ１０には制御電源Ｖ１の電圧が高周波交流電圧に変換され印加される。送電コイルＴ１０は、この交流電圧から交流磁界を発生させる。送電コイルＴ１０は、非接触給電における送電側コイルである。
【００３２】
第２制御部ＩＣ１０は、制御電源Ｖ１から電力を供給され、第２スイッチング電源部５２を制御する。第２制御部ＩＣ１０は、非接触給電を制御する。
【００３３】
本実施の形態では、第１制御部ＩＣ１と第２制御部ＩＣ１０とが制御部４０を構成する。制御部４０は、第１スイッチング電源部５１と第２スイッチング電源部５２を制御する。制御部４０は、制御電源部から電力供給を受けて動作している。
【００３４】
第１制御部ＩＣ１は端子Ｐ３を有する。端子Ｐ３は、第２制御部ＩＣ１０の端子Ｐ１０と接続される。第１制御部ＩＣ１は端子Ｐ３を介して第２制御部ＩＣ１０を制御する。第１制御部ＩＣ１は端子Ｐ３から、第２制御部ＩＣ１０の端子Ｐ１０に第２スイッチング電源部５２の動作または停止を指令する信号を出力する。
【００３５】
図２は、実施の形態１に係る照明器具１の斜視図である。照明器具１は、器具本体１ａと光源ユニット１ｂと制御ユニット２とを有する。光源ユニット１ｂはＬＥＤ光源部８０を備える。点灯装置５０は、例えば、器具本体１ａに収納されている。制御ユニット２は、器具本体１ａの側面に取り付けられる。器具本体１ａの制御ユニット２が取り付けられる部分の内側には、送電コイルＴ１０が設けられている。
【００３６】
制御ユニット２は、例えば、無線通信機または人感センサである。制御ユニット２は、受電コイルを備える。送電コイルＴ１０と受電コイルは隣接して設けられる。送電コイルＴ１０に交流電圧が印加されることで、電磁誘導により受電コイルに電圧が発生する。受電コイルは、送電コイルＴ１０が発生させる交流磁界に応じて電圧を発生させる。受電コイルは、送電コイルＴ１０が発生させる交流磁界を電圧に変換している。
【００３７】
制御ユニット２は、受電コイルに発生する電圧により動作する。制御ユニット２は、制御回路を備える。受電コイルで発生した電圧により、制御回路は動作している。
【００３８】
例えば、制御ユニット２が人感センサである場合、人検知情報に基づいた信号を、制御ユニット２は点灯装置５０に無線通信する。この無線信号に応じて、点灯装置５０は光源８１を明るくまたは暗くする。また、無線信号に応じて点灯装置５０は光源８１を消灯させても良い。本実施の形態では、制御ユニット２に対して点灯装置５０から非接触給電する。これにより、電源配線を削減できる。
【００３９】
次に、第１制御部ＩＣ１が出力する信号によって第２制御部ＩＣ１０が第２スイッチング電源部５２を停止させる例を説明する。図３は、実施の形態１に係る照明器具１の動作を示すフローチャートである。図３は、第１制御部ＩＣ１の動作フローを示す図である。第１制御部ＩＣ１はコンデンサＣ１の両端に印加される電圧を端子Ｐ１から検出している。外部電源ＡＣの電圧が低下すると、昇圧チョッパ回路のフィードバック制御が追随できず、端子Ｐ１の検出値Ｖｓが一時的に低下する。このため、端子Ｐ１によって、第１スイッチング電源部５１に供給される電圧である電源電圧の変動を検出できる。
【００４０】
第１制御部ＩＣ１は、電源電圧を検出すると検出値Ｖｓと閾値電圧を比較する。検出値Ｖｓが閾値電圧以上である場合、第１制御部ＩＣ１は端子Ｐ３から動作信号を出力する。動作信号は端子Ｐ３のＨｉｇｈ信号である。第２制御部ＩＣ１０は、端子Ｐ１０から動作信号を受信すると、第２スイッチング電源部５２を動作させる。また、検出値Ｖｓが閾値電圧より小さい場合、第１制御部ＩＣ１は端子Ｐ３から動作停止信号を出力する。動作停止信号は端子Ｐ３のＬｏｗ信号である。第２制御部ＩＣ１０は、端子Ｐ１０から動作停止信号を受信すると、第２スイッチング電源部５２を停止させる。
【００４１】
図４は、実施の形態１に係る照明器具１の電圧波形を示す図である。図４は、何らかの事情で外部電源ＡＣの電圧が低下した場合の照明器具１の動作を示している。まず、時刻ｔ１において外部電源ＡＣの電圧が閾値よりも低下したとする。この状態は、サグ状態とも呼ばれる。図４では、外部電源ＡＣの電圧がＡＣ電圧実効値として示されている。外部電源ＡＣの電圧が閾値よりも低下した状態は、外部電源ＡＣの実効値が閾値よりも低下した状態を示す。
【００４２】
このとき、昇圧チョッパ回路のフィードバック制御が電源電圧の変動に追従できず、昇圧チョッパ回路の出力電圧が低下する。つまり、コンデンサＣ１の電圧にアンダーシュートが発生する。これに応じて、制御電源Ｖ１の電圧も低下する。
【００４３】
時刻ｔ２において、コンデンサＣ１の電圧を抵抗分圧により検出している端子Ｐ１の検出値Ｖｓが閾値電圧を下回る。ここで、閾値電圧は、閾値に対応する端子Ｐ１の電圧である。外部電源ＡＣが閾値まで低下すると、端子Ｐ１の電圧が閾値電圧まで低下する。なお、図４では閾値電圧に対応したコンデンサＣ１の電圧が便宜上破線で示されている。
【００４４】
この結果、端子Ｐ３から端子Ｐ１０に動作停止信号が出力される。これにより、第２制御部ＩＣ１０は第２スイッチング電源部５２の動作を停止する。よって、送電コイルＴ１０への交流電圧の印加が停止される。
【００４５】
時刻ｔ３において、昇圧チョッパ回路がフィードバック制御によって、出力電圧を目標とする電圧に戻すように動作を始める。この結果、コンデンサＣ１の電圧が回復を始める。
【００４６】
これにより、時刻ｔ４において、端子Ｐ１の検出値Ｖｓが閾値電圧を上回る。これにより、端子Ｐ３から端子Ｐ１０に動作信号が出力される。動作信号を受けて、第２制御部ＩＣ１０は第２スイッチング電源部５２の動作を開始する。よって、再び送電コイルＴ１０に交流電圧が印加される。
【００４７】
外部電源ＡＣの電圧が低下すると、照明器具１で生成される様々な電圧が変動する。このため、電源電圧が低下しているときは第２スイッチング電源部５２の動作を停止することが望ましい。本実施の形態において制御部４０は、外部電源ＡＣから第１スイッチング電源部５１に供給される電圧が閾値よりも低下すると、第２スイッチング電源部５２を停止させる。このため、照明器具１の信頼性を向上できる。
【００４８】
また、第２スイッチング電源部５２は制御電源Ｖ１から供給される電圧を交流電圧に変換している。このため、制御電源Ｖ１の異常を検出することで、第２スイッチング電源部５２に供給される電圧の異常を検出できる。従って、電圧の管理がし易くなり、電圧異常を精度よく検出できる。
【００４９】
また、制御部４０へ電力を供給する制御電源Ｖ１の電圧異常時には、照明器具１の制御が正常に実施できない可能性がある。このため、制御電源Ｖ１の電圧低下時に第２スイッチング電源部５２を停止させることで、第２スイッチング電源部５２が正しく制御されないことを防止できる。従って、非接触給電の信頼性を向上できる。
【００５０】
さらに、第１スイッチング電源部５１を制御する第１制御部ＩＣ１と、第２スイッチング電源部５２を制御する第２制御部ＩＣ１０は、共に制御電源Ｖ１から電力を供給され動作する。このとき、第２制御部ＩＣ１０に電圧低下などの異常が発生したことを、第１制御部ＩＣ１側の電圧検出により検出できる。従って、第１制御部ＩＣ１と第２制御部ＩＣ１０の電源を共通にすることで、非接触給電の異常を精度良く検出できる。
【００５１】
本実施の形態では外部電源ＡＣの電圧低下を例に示した。これに限らず、制御部４０が電源電圧の低下以外の異常を検出して第２スイッチング電源部５２の動作を止めることも可能である。例えば、制御部４０は、回路部品の異常による点灯装置５０に発生する電圧の異常を検出して、第２スイッチング電源部５２の動作を止めても良い。このように、本実施の形態では、制御部４０が様々な異常状態を精度よく検出して、第２スイッチング電源部５２を停止できる。このため、非接触給電の信頼性を向上できる。
【００５２】
また、本実施の形態では、第１制御部ＩＣ１およびＭＯＳＦＥＴドライバー４１の電源である制御電源Ｖ１を、非接触給電のコイル電圧に変換する。これにより、点灯装置５０の部品と非接触給電用の部品を兼用できる。従って、部品数を抑制でき、省資源化および照明器具１の小型化が可能になる。
【００５３】
また、制御電源Ｖ１の電圧は１５Ｖであり、一般に非接触給電のコイル電圧に使用される電圧と同等である。このため、制御電源Ｖ１により第２スイッチング電源部５２を駆動することで、非接触給電用に追加の変圧回路などを設ける必要がなくなる。このように、本実施の形態では非接触給電の供給電圧と制御電源Ｖ１の電圧とが共に１５Ｖで構成されている。このため、効率良く直流−交流変換してコイル電圧を生成できる。
【００５４】
本実施の形態では第２制御部ＩＣ１０は、第１制御部ＩＣ１からの制御信号に従って制御される。これにより、制御電源Ｖ１の電圧の低下時に第２スイッチング電源部５２を停止できる。これに限らず、第１制御部ＩＣ１と第２制御部ＩＣ１０は一体化された制御部４０であっても良い。この場合、制御部４０は第１スイッチング電源部５１と第２スイッチング電源部５２を制御する。
【００５５】
また、第２スイッチング電源部５２は制御電源Ｖ１から供給される電圧を交流電圧に変換する。これに限らず、第２スイッチング電源部５２は第１スイッチング電源部５１に発生する電圧を交流電圧に変換しても良い。第１スイッチング電源部５１に発生する電圧は、例えば、コンデンサＣ１の両端に印加される電圧であっても良い。また、制御電源部は第１スイッチング電源部５１で生成された電力で動作するものとした。これに限らず、制御電源部の電源は別途設けられても良い。
【００５６】
また、本実施の形態ではコンデンサＣ１の両端に印加される電圧から、制御部４０が外部電源ＡＣの電圧の低下を検出した。これに限らず、例えば、制御部４０は、第１スイッチング電源部５１の入力端に印加される電圧を検出することで、外部電源ＡＣの電圧の低下を検出しても良い。
【００５７】
本実施の形態では外部電源ＡＣは、商用交流電源であるが、これに限らない。例えば、外部電源ＡＣは、直流電源であっても良い。この場合、点灯装置５０は昇圧チョッパ回路を備えなくても良い。また、外部電源ＡＣは、太陽光発電等で得られた直流電圧が交流に変換されることで得られた電源であっても良い。
【００５８】
また、第１スイッチング電源部５１の構成は本実施の形態に示したものに限らない。第１スイッチング電源部５１としてスイッチング素子のオンオフにより光源８１を点灯させるあらゆる回路を採用できる。第１スイッチング電源部５１は１コンバータ方式または２コンバータ方式であっても良い。また、第２スイッチング電源部５２として、第１スイッチング電源部５１に発生する電圧を交流電圧に変換するあらゆる回路を採用できる。
【００５９】
図５は実施の形態１の変形例を説明するフローチャートである。変形例において制御部４０は、外部電源ＡＣから第１スイッチング電源部５１への電力の供給が開始されてから一定時間の経過後に、第２スイッチング電源部５２を動作させる。
【００６０】
点灯装置５０に外部電源ＡＣが投入されると、制御部４０は計時を開始する。外部電源ＡＣから第１スイッチング電源部５１への電力の供給が開始されてからの時間Ｔｓｔａが一定時間よりも大きくなると、制御部４０は第２スイッチング電源部５２を動作させる工程に進む。第２スイッチング電源部５２を動作させる工程は、図３に示される工程と同様である。
【００６１】
計時開始から第２スイッチング電源部５２を動作させるまでの一定時間は、例えば、外部電源ＡＣから第１スイッチング電源部５１への電力の供給が開始されてから点灯装置５０の動作が安定するまでの時間に設定される。一定時間は例えば２秒である。
【００６２】
本変形例では、電源投入後の一定時間において第２スイッチング電源部５２を動作させない。点灯装置５０の動作が安定するまでの過度状態の終了後に、第２スイッチング電源部５２を動作させることで、非接触給電の制御を安定して実施できる。
【００６３】
さらに、第１スイッチング電源部５１の起動と、第２スイッチング電源部５２の起動のタイミングが重なると、点灯装置５０の起動に大きな電力が必要となる可能性がある。これに対し、本変形例では、第１スイッチング電源部５１の起動と、第２スイッチング電源部５２の起動のタイミングが重ならない。このため、起動電力の低減により、制御電源Ｖ１の容量を小さくできる。従って、制御電源Ｖ１を生成するための部品を小さくでき、点灯装置５０を小型化できる。具体的には、第１スイッチング電源部５１が有するコンデンサの容量または抵抗の定格電力などの低減により、これらの部品を小型化できる。
【００６４】
これらの変形は以下の実施の形態に係る点灯装置および照明器具について適宜応用することができる。なお、以下の実施の形態に係る点灯装置および照明器具については実施の形態１との共通点が多いので、実施の形態１との相違点を中心に説明する。
【００６５】
実施の形態２．
図６は、実施の形態２に係る照明器具２０１の回路ブロック図である。照明器具２０１は点灯装置２５０を備える。点灯装置２５０は第２制御部ＩＣ１１、第２スイッチング電源部２５２および送電コイルＴ１１の構造が実施の形態１と異なる。
【００６６】
第２スイッチング電源部２５２はスイッチング素子Ｑ１２を備える。スイッチング素子Ｑ１２は例えばＭＯＳＦＥＴである。スイッチング素子Ｑ１２のドレインは、送電コイルＴ１１の一端とコンデンサＣ１１の負極と接続される。スイッチング素子Ｑ１１のソースは、接地用端子ＧＮＤに接続される。スイッチング素子Ｑ１２のゲートは、第２制御部ＩＣ１１の端子Ｖｇ１１と接続される。スイッチング素子Ｑ１２は、送電コイルＴ１１と接地用端子ＧＮＤとの間に接続されている。
【００６７】
送電コイルＴ１１の他端とコンデンサＣ１１の正極は、制御電源Ｖ１と接続される。送電コイルＴ１１とコンデンサＣ１１は並列に接続されている。スイッチング素子Ｑ１２のドレインとソースとの間には、抵抗Ｒ１０と抵抗Ｒ１１の直列回路が接続される。抵抗Ｒ１０と抵抗Ｒ１１の接続点は、第２制御部ＩＣ１１の通信端子ＩＮと接続される。
【００６８】
第２制御部ＩＣ１１は端子Ｖｇ１１からの出力信号によって、スイッチング素子Ｑ１２をスイッチングする。これにより、送電コイルＴ１１とコンデンサＣ１１に共振電流が流れる。つまり、第２スイッチング電源部２５２は、制御電源Ｖ１から供給された電圧を交流電圧に変換する。送電コイルＴ１１はこの交流電圧から交流磁界を発生させる。
【００６９】
また、通信端子ＩＮには、後述する制御ユニットからの受電情報等の通信信号が入力される。本実施の形態では、第１制御部ＩＣ１と第２制御部ＩＣ１１は制御部２４０を構成する。制御部２４０は、制御ユニットから送信される通信信号を受信する通信端子ＩＮを有する。
【００７０】
図７は、実施の形態２に係る制御ユニット２０２の回路ブロック図である。制御ユニット２０２は、点灯装置２５０から非接触給電で電力を供給される受電機器である。本実施の形態では、制御ユニット２０２は点灯装置２５０と通信する。制御ユニット２０２は受電部Ｒｘ２０１とオプションユニットＵ２０１とを備える。
【００７１】
受電部Ｒｘ２０１は受電コイルＴ２１０を備える。受電コイルＴ２１０の一端には、コンデンサＣ２０２の正極とダイオードＤ２０１、２０２のアノードが接続される。コンデンサＣ２０２の負極にはスイッチング素子Ｑ２０１のドレインが接続される。スイッチング素子Ｑ２０１は例えばＭＯＳＦＥＴである。スイッチング素子Ｑ２０１のソースは、受電コイルＲ２１０の他端と接続される。スイッチング素子Ｑ２０１のゲートは、第３制御部ＩＣ２０１の端子Ｏｕｔに接続される。コンデンサＣ２０２とスイッチング素子Ｑ２０１の直列回路は、受電コイルＴ２１０と並列に接続されている。
【００７２】
ダイオードＤ２０１のカソードは、コンデンサＣ２０１の正極に接続される。コンデンサＣ２０１の負極は受電コイルＴ２１０の他端と接続される。ダイオードＤ２０１とコンデンサＣ２０１の直列回路は、受電コイルＴ２１０と並列に接続されている。ダイオードＤ２０１とコンデンサＣ２０１の接続点は、第３制御部ＩＣ２０１の入力電圧端子である端子Ｖｉｎに接続される。
【００７３】
ダイオードＤ２０２のカソードは、第３制御部ＩＣ２０１の端子Ｖｓｔａに接続される。第３制御部ＩＣ２０１の端子ＣＴと接地用端子ＧＮＤとの間には、コンデンサ２０３が接続される。第３制御部ＩＣ２０１の端子Ｖｓｓは、接地用端子ＧＮＤに接続される。第３制御部ＩＣ２０１の端子Ｖｏｕｔは、受電部Ｒｘ２０１から引き出され、オプションユニットＵ２０１と接続される。オプションユニットＵ２０１は、端子Ｖｏｕｔと接地用端子ＧＮＤと接続される。
【００７４】
受電コイルＴ２１０は、送電コイルＴ１１に近接して配置される。受電コイルＴ２１０は、送電コイルＴ１１が発生させる交流磁界に応じて電圧を発生させる。つまり、受電コイルＴ２１０は、送電コイルＴ１１に発生した電磁波に誘起されて電圧を発生させる。制御ユニット２０２は、受電コイルＴ２１０に発生する電圧により動作する。
【００７５】
ダイオードＤ２０１は、受電コイルＴ２１０で発生した電圧を整流し、コンデンサＣ２０１を充電する。ダイオードＤ２０２は、受電コイルＴ２１０に発生した電圧を整流し、第３制御部ＩＣ２０１に起動電流を供給する。
【００７６】
第３制御部ＩＣ２０１は、端子Ｖｓｔａから起動電流が入力されることで起動する。第３制御部ＩＣ２０１は、端子Ｖｉｎに供給される電力により動作する。端子Ｖｉｎの電圧は、コンデンサＣ２０１の両端に印加される電圧で決まる。また、第３制御部ＩＣ２０１は、オプションユニットＵ２０１に端子Ｖｏｕｔから電力を供給する。第３制御部ＩＣ２０１がオプションユニットＵ２０１に供給する電力または電流は、コンデンサＣ２０３の容量により決定される。
【００７７】
また、第３制御部ＩＣ２０１は、端子Ｏｕｔからスイッチング素子Ｑ２０１をスイッチングする。スイッチング素子Ｑ２０１がオンすると、受電コイルＴ２１０、コンデンサＣ２０２、スイッチング素子Ｑ２０１のドレインおよびスイッチング素子Ｑ２０１のソースによるループが形成される。これにより、スイッチング素子Ｑ２０１がオフしている状態と比較して、受電コイルＴ２１０のインピーダンスが低下する。
【００７８】
受電コイルＴ２１０側が低インピーダンスとなることにより、送電コイルＴ１１のインピーダンスも低下する。これにより、第２制御部ＩＣ１１の通信端子ＩＮに通信信号が伝達される。このように、制御ユニット２０２は、受電コイルＴ２１０のインピーダンスを低下させることで、受電コイルＴ２１０から送電コイルＴ１１に通信信号を送信する。制御ユニット２０２は受電コイルＴ２１０に並列に接続されたスイッチング素子Ｑ２０１をスイッチングすることにより、制御ユニット２０２と点灯装置２５０との間で半二重通信を行う。
【００７９】
図８は、実施の形態２に係る制御ユニット２０２への給電開始時の第２制御部ＩＣ１１の動作を示すフローチャートである。まず、第２制御部ＩＣ１１は、パルス給電を開始する。ここで、パルス給電は、スイッチング素子Ｑ１２を間欠的にスイッチングさせ、送電コイルＴ１１にパルス電流を発生させる状態を示す。
【００８０】
送電コイルＴ１１に流れるパルス電流により、受電コイルＴ２１０に電圧が誘起される。従って、端子Ｖｓｔａに電流が供給され、第３制御部ＩＣ２０１が起動する。第３制御部ＩＣ２０１は起動すると、スイッチング素子Ｑ２０１をスイッチングさせる。これにより、受電コイルＴ２１０のインピーダンスが低下し、給電が開始されたことを示す通信信号である給電開始信号が第２制御部ＩＣ１１に伝達される。つまり、制御ユニット２０２は、受電コイルＴ２１０に電圧が発生すると、給電開始を通知する通信信号を制御部２４０に送信する。
【００８１】
第２制御部ＩＣ１１は、給電開始信号を受信したと判断すると、スイッチング素子Ｑ１２を連続してスイッチングさせる。つまり、制御部２４０は、給電開始を通知する通信信号を受信すると、第２スイッチング電源部２５２を連続発振させ、制御ユニット２０２に給電を行う。以降は、第２スイッチング電源部２５２が連続発振する連続給電状態となり、図３に示される基本フローに基づいて動作する。
【００８２】
次に、第２制御部ＩＣ１１が制御ユニット２０２から給電停止を通知する通信信号である給電停止信号を受信した場合、第２制御部ＩＣ１１は、スイッチング素子Ｑ１２の連続発振を停止させる。この結果、第２制御部ＩＣ１１はスイッチング素子Ｑ１２を間欠的にスイッチングさせるスタンバイ状態となる。第２制御部ＩＣ１１が給電停止信号を受信した状態は、例えば、スイッチング素子Ｑ２０１がオンした状態またはスイッチングしている状態よりも、送電コイルＴ１１のインピーダンスが高い状態を示す。
【００８３】
また、第２制御部ＩＣ１１が給電停止信号を受信した状態は、第２制御部ＩＣ１１が給電開始信号を受信しない状態であっても良い。つまり、制御部２４０は、給電開始を通知する通信信号を受信しない場合、第２スイッチング電源部２５２を連続発振させない。制御部２４０が給電開始を通知する通信信号を受信しない場合、第２スイッチング電源部２５２は定常状態よりも低い電力供給状態で動作する。ここで、定常状態は、第２スイッチング電源部２５２が連続発振している状態を示す。この結果、第２制御部ＩＣ１１はスイッチング素子Ｑ１２を間欠的にスイッチングさせるスタンバイ状態となる。
【００８４】
本実施の形態では、制御ユニット２０２が確実に受電できる状態であることを点灯装置２５０が確認できる。このため、非接触給電の確実性および安全性を向上できる。従って、照明器具２０１の信頼性を向上できる。また、スイッチング素子Ｑ１２が間欠的にスイッチングしているスタンバイ状態は、スイッチング素子Ｑ１２が連続発振している状態よりも消費電力が低い。このため、制御ユニット２０２が受電できない状態のときは第２制御部ＩＣ１１をスタンバイ状態とすることで、消費電力を低減できる。
【００８５】
本実施の形態では、まず制御ユニット２０２へのパルス給電が実施される。次に、制御部２４０が給電開始を通知する通信信号を受信すると、連続給電が実施される。これに限らず、初めから連続給電が実施され、制御部２４０が給電開始を通知する通信信号を受信しない場合に、連続給電からパルス給電に切り替えても良い。
【００８６】
また、本実施の形態では、制御ユニット２０２は受電コイルＴ２１０のインピーダンスを低下させることで、送電コイルＴ１１に通信信号を送信する。これに限らず、受電コイルＴ２１０から送電コイルＴ１１に通信信号を送信できれば、通信信号は別の方法で送信されても良い。例えば、制御ユニット２０２は受電コイルＴ２１０に印加される電圧などを変化させて通信信号を送信しても良い。
【００８７】
また、制御ユニット２０２から点灯装置２５０への通信信号は、非接触給電とは別の信号経路により送信されても良い。例えば、制御ユニット２０２が調光コントローラである場合、制御ユニット２０２は調光信号を点灯装置２５０に送信する経路で、通信信号を送信しても良い。本実施の形態において、制御ユニット２０２は点灯装置２５０と通信する機能を有する。このため、制御ユニット２０２と点灯装置２５０との間の通信によって、制御部２４０は制御ユニット２０２の状態を確認できる。従って、点灯装置２５０と通信する制御ユニット２０２に、点灯装置２５０から非接触給電を行うことで、非接触給電を安定して実施できる。よって、非接触給電の信頼性を向上できる。
【００８８】
実施の形態３．
図９は、実施の形態３に係る制御ユニット３０２の回路ブロック図である。制御ユニット３０２は受電部Ｒｘ３０１とオプションユニットＵ２１１とを備える。受電部Ｒｘ３０１は、第３制御部ＩＣ２１１を備える。第３制御部ＩＣ２１１は端子Ｉｎｆｏを備える。端子Ｉｎｆｏは受電部Ｒｘ３０１から引き出され、オプションユニットＵ２１１と接続される。オプションユニットＵ２１１は、記憶部Ｍｅｍを有する。端子Ｉｎｆｏは、記憶部Ｍｅｍと接続される。その他の構造は、実施の形態２と同様である。
【００８９】
記憶部Ｍｅｍには、機種情報等の制御ユニット３０２に関する情報が記憶されている。端子Ｉｎｆｏは、第３制御部ＩＣ２１１に記憶部Ｍｅｍに記憶された情報を入力する。第３制御部ＩＣ２１１は、端子Ｉｎｆｏに入力された情報に基づいて自己の動作を制御する。また、第３制御部ＩＣ２１１は、スイッチング素子Ｑ２０１をスイッチングして、端子Ｉｎｆｏに入力された情報を点灯装置２５０の第２制御部ＩＣ１１に伝達する。本実施の形態において制御ユニット３０２は、制御ユニット３０２に関する情報を制御部２４０に送信する。
【００９０】
記憶部Ｍｅｍに記憶された情報は、例えば、オプションユニットＵ２１１が必要とする電流値Ｉｕである。記憶部Ｍｅｍは、オプションユニットＵ２１１が必要とする電圧値または電力値を記憶していても良い。また、記憶部Ｍｅｍに記憶された情報は、制御ユニット３０２が必要とする電流、電圧または電力の情報であっても良い。
【００９１】
図１０は、実施の形態３に係る制御ユニット３０２への給電開始時の第２制御部ＩＣ１１の動作を示すフローチャートである。まず実施の形態２と同様に、第２制御部ＩＣ１１はスイッチング素子Ｑ１２を間欠発振させる。この結果、第３制御部ＩＣ２１１が起動する。第３制御部ＩＣ２１１は起動すると、記憶部Ｍｅｍに記憶された電流値Ｉｕを読み出す。電流値Ｉｕに関する情報は、端子Ｉｎｆｏに出力される。第３制御部ＩＣ２１１はこの情報を第２制御部ＩＣ１１に伝達する。つまり、制御ユニット３０２は、受電コイルＴ２１０に電圧が発生すると、記憶部Ｍｅｍに記憶された情報を制御部２４０に送信する。
【００９２】
第２制御部ＩＣ１１は、電流値Ｉｕに関する情報を受信すると、電流値Ｉｕに相当する電流量を制御ユニット３０２に供給する。つまり、制御部２４０は、制御ユニット３０２から受信した情報に応じて、制御ユニット３０２が必要とする電力が制御ユニット３０２に供給されるように、第２スイッチング電源部２５２を制御する。以降は、連続給電状態となり、図３に示される基本フローに基づいて動作する。
【００９３】
本実施の形態では、オプションユニットＵ２１１等が必要とする電力を第２制御部ＩＣ１１が受信することで、点灯装置２５０から制御ユニット３０２に必要な電力を供給できる。このため、過剰な電力を制御ユニット３０２に供給することを防止できる。従って、消費電力を低減できる。また、制御ユニット３０２に過剰な電力が供給されることによる故障等を防止できる。
【００９４】
本実施の形態では、制御ユニット３０２が必要とする電力の情報に応じて、制御部２４０は第２スイッチング電源部２５２を制御する。これに限らず、制御部２４０は制御ユニット３０２に関する情報に応じて、第２スイッチング電源部２５２を制御すれば良い。制御ユニット３０２に関する情報は、例えば、制御ユニット３０２の種類などの機種情報でも良い。この場合、制御部２４０は、制御ユニット３０２から通知された制御ユニット３０２の種類から制御ユニット３０２が必要とする電力を判断し、この電力に応じて第２スイッチング電源部２５２を制御しても良い。
【００９５】
図１１は、制御ユニット３０２への給電開始時の制御部２４０の動作の変形例を示すフローチャートである。本変形例におけるオプションユニットＵ２１１は、点灯装置２５０の点灯状態を制御する機能を有している。点灯装置２５０の点灯状態は、オプションユニットＵ２１１から第３制御部ＩＣ２１１を介して第２制御部ＩＣ１１に通信信号が伝達されることで制御される。
【００９６】
変形例において、記憶部Ｍｅｍには制御ユニット３０２の機種情報が記憶されている。機種情報は、例えば、オプションユニットＵ２１１が有線または無線の調光コントローラまたは人感センサなどであることを示す情報である。つまり、記憶部Ｍｅｍには制御ユニット３０２の種類が記憶されている。機種情報は、オプションユニットＵ２１１の機能に関する情報であっても良い。
【００９７】
まず第２制御部ＩＣ１１は、パルス給電を開始する。パルス給電では、第２制御部ＩＣ１１がスイッチング素子Ｑ１２を間欠発振させて送電コイルＴ１１にパルス電流を発生させる。これにより、受電コイルＴ２１０に電圧が発生し、第３制御部ＩＣ２１１が起動する。第３制御部ＩＣ２１１は起動すると、記憶部Ｍｅｍに記憶された機種情報を読み出す。第３制御部ＩＣ２１１は機種情報を第２制御部ＩＣ１１に伝達する。
【００９８】
第２制御部ＩＣ１１は、受信した機種情報に応じてスイッチング素子Ｑ１２をスイッチングする。制御部２４０は、制御ユニット３０２に機種情報に応じた電力が供給されるように、第２スイッチング電源部２５２を制御する。以降は、連続給電状態となる。
【００９９】
連続給電状態において、第１制御部ＩＣ１は、外部電源ＡＣから第１スイッチング電源部５１に供給される電圧を検出する。次に、第１制御部ＩＣ１は検出値Ｖｓと閾値電圧を比較する。検出値Ｖｓが閾値電圧以上である場合、第１制御部ＩＣ１は端子Ｐ３から動作信号を出力する。第２制御部ＩＣ１０は、端子Ｐ１０から動作信号を受信すると、第２スイッチング電源部２５２の連続発振を継続する。
【０１００】
連続給電状態において、オプションユニットＵ２１１は第３制御部ＩＣ２１１を介して、点灯装置２５０に調光信号を送信する。第２制御部ＩＣ１１は調光信号を受信すると、例えば端子Ｐ１０を介して第１制御部ＩＣ１に調光信号を送信する。第１制御部ＩＣ１は、受信した調光信号に応じた調光度にて光源８１を点灯させる。
【０１０１】
第２制御部ＩＣ１１が調光信号を受信しない場合、第１制御部ＩＣ１は前回までの調光度で光源８１を点灯させる。
【０１０２】
次に、サグなどにより、外部電源ＡＣから第１スイッチング電源部５１に供給される電圧が閾値よりも低下したとする。これにより、検出値Ｖｓが閾値電圧を下回ると、第１制御部ＩＣ１は端子Ｐ３から動作停止信号を出力する。第２制御部ＩＣ１０は、端子Ｐ１０から動作停止信号を受信すると、第２スイッチング電源部２５２を停止させる。第２制御部ＩＣ１０が第２スイッチング電源部２５２を停止させている間は、第１制御部ＩＣ１は前回までの調光度で光源８１を点灯させる。
【０１０３】
第２制御部ＩＣ１１がスイッチング素子Ｑ１２のスイッチングを停止すると、制御ユニット３０２は給電されなくなる。このため、制御ユニット３０２の動作の不安定化または動作の停止などが生じる可能性がある。よって、オプションユニットＵ２１１から第２制御部ＩＣ１１に対して、正しい調光信号が伝達されない可能性がある。誤った調光信号に従い光源８１を点灯させると、誤った調光度での点灯、点滅、明滅等のチラつきまたは消灯が発生する可能性がある。
【０１０４】
これに対し、本実施の形態では、サグなどにより第２スイッチング電源部２５２を停止している期間は、第２制御部ＩＣ１１が第２スイッチング電源部２５２のスイッチングを停止させる直前の調光度で、第１制御部ＩＣ１が光源８１を点灯させ続ける。これにより、誤った調光信号による照明器具２０１の誤動作を防止できる。従って、照明器具２０１の信頼性を向上できる。
【０１０５】
また、機種情報および調光信号は、受電コイルＴ２１０および送電コイルＴ１１を介して制御ユニット３０２から点灯装置２５０に送信される。これに限らず、機種情報および調光信号は、非接触給電とは別の信号経路により送信されても良い。例えば、機種情報および調光信号は、有線通信により制御ユニット３０２から点灯装置２５０に送信されても良い。
【０１０６】
実施の形態４．
図１２は、実施の形態４に係る照明器具４０１の斜視図である。図１３は、実施の形態４に係る照明器具４０１で器具本体４０１ａから光源ユニット４０１ｂおよび制御ユニット４０２を取り外した状態を示す斜視図である。図１４は、実施の形態４に係る照明器具４０１で光源ユニット４０１ｂから制御ユニット４０２を取り外した状態を示す斜視図である。
【０１０７】
照明器具４０１は、器具本体４０１ａと、光源ユニット４０１ｂと、制御ユニット４０２とを備える。光源ユニット４０１ｂは器具本体４０１ａに取り付けられる。光源ユニット４０１ｂはＬＥＤ光源部８０と、実施の形態２の点灯装置２５０とを有する。制御ユニット４０２は、光源ユニット４０１ｂの側面に取り付けられる。制御ユニット４０２は、光源ユニット４０１ｂの長手方向の端部に取り付けられる。
【０１０８】
器具本体４０１ａは、天井などの被取付部に取り付けられる取り付け部と、光源ユニット４０１ｂを取り付けるための係合部７１を有する。係合部７１は引っかけバネである。係合部７１は器具本体４０１ａの長手方向の両側に設けられる。
【０１０９】
光源ユニット４０１ｂは、フレームを有する。フレームは長尺状であり、断面がコの字状またはＵ字状である。フレームには受け部７２が取り付けられている。受け部７２は係合部７１に係合する。フレームには光源モジュールが取り付けられる。光源モジュールは、ＬＥＤ光源部８０を含む。
【０１１０】
さらに、フレームには長尺状の透光性カバー７３が取り付けられている。透光性カバー７３は、光源モジュールを覆う。透光性カバー７３の長手方向の両端には、端部カバー７４が取り付けられている。また、フレームには光源モジュールに電力を供給する点灯装置２５０が取り付けられている。２つの端部カバー７４のうち、制御ユニット４０２と隣接する側の内側には、送電コイルＴ１１が配置される。
【０１１１】
制御ユニット４０２はケース７５を有する。ケース７５には、実施の形態２の制御ユニット２０２が収納されている。ケース７５は光源ユニット４０１ｂに係合する。ケース７５は、少なくとも光源ユニット４０１ｂが有する制御ユニット４０２への給電部と接触する部分が、非導電体で形成されている。非導電体は例えば樹脂である。ケース７５の非導電体で形成された部分の内側に、受電コイルＴ２１０が取り付けられている。
【０１１２】
本実施の形態では、送電コイルＴ１１と受電コイルＴ２１０とは、非導電体を介して隣接して設けられる。送電コイルＴ１１と受電コイルＴ２１０との間に介在する部品は非導電部材であるので、送電コイルＴ１１が発する電磁波による加熱の影響を抑制できる。ここで、送電コイルＴ１１と受電コイルＴ２１０との間に介在する部品は、例えば、端部カバー７４およびケース７５である。
【０１１３】
また、送電コイルＴ１１と受電コイルＴ２１０との間に介在する部品が非導電体で形成されることで、受電コイルＴ２１０への非接触給電における電力ロスを低減できる。さらに、受電コイルＴ２１０から送電コイルＴ１１へ送信される信号が、送電コイルＴ１１と受電コイルＴ２１０との間に介在する部品によって遮断されにくくなる。従って、信号の伝達がし易くなり、点灯装置２５０と制御ユニット４０２との間の通信性能を向上できる。
【０１１４】
なお、本実施の形態では光源ユニット４０１ｂが点灯装置２５０を備え、制御ユニット４０２が制御ユニット２０２を備える。これに限らず、光源ユニット４０１ｂは点灯装置５０を備えても良い。また、制御ユニット４０２は制御ユニット２または制御ユニット３０２を備えても良い。
【０１１５】
また、本実施の形態における制御ユニット４０２は、有線または無線の調光コントローラ、人感センサに限らず、ケース７５のみを備えるダミーユニットであっても良い。制御ユニットによる調光制御を必要としない場合には、照明器具４０１にダミーユニットを取り付ける。これにより、照明器具４０１の外観を変えずに、制御ユニットによる調光制御機能の有無を変更できる。
【０１１６】
また、制御ユニット４０２はケース７５内に光源を有するサブ光源ユニットであっても良い。サブ光源ユニットは、点灯装置２５０からの給電を受けて点灯しても良い。また、サブ光源ユニットは、ケース７５内にバッテリーなどが設けられ、停電などの非常時に点灯する非常灯の機能を有してもよい。
【０１１７】
なお、各実施の形態で説明した技術的特徴は適宜に組み合わせて用いてもよい。
【符号の説明】
【０１１８】
１、２０１、４０１  照明器具、１ａ、４０１ａ  器具本体、１ｂ、４０１ｂ  光源ユニット、２、２０２、３０２、４０２  制御ユニット、４０、２４０  制御部、５１  第１スイッチング電源部、５２  第２スイッチング電源部、８１  光源、ＡＣ  外部電源、Ｑ１、Ｑ２、Ｑ１０、Ｑ１１、Ｑ１２、Ｑ２１０  スイッチング素子、Ｔ１０、Ｔ１１  送電コイル、Ｔ２１０  受電コイル、Ｖ１  制御電源、ＩＣ１  第１制御部、ＩＣ１０、ＩＣ１１  第２制御部、ＩＮ  通信端子、Ｍｅｍ  記憶部
【図１】
2019087340.tif 000003
【図２】
2019087340.tif 000004
【図３】
2019087340.tif 000005
【図４】
2019087340.tif 000006
【図５】
2019087340.tif 000007
【図６】
2019087340.tif 000008
【図７】
2019087340.tif 000009
【図８】
2019087340.tif 000010
【図９】
2019087340.tif 000011
【図１０】
2019087340.tif 000012
【図１１】
2019087340.tif 000013
【図１２】
2019087340.tif 000014
【図１３】
2019087340.tif 000015
【図１４】
2019087340.tif 000016